【手続補正書】
【提出日】平成27年4月30日(2015.4.30)
【手続補正１】
【補正対象書類名】明細書
【補正対象項目名】００１３
【補正方法】変更
【補正の内容】
【００１３】
そこで、本発明の目的は、証跡を取る際に撮像装置の撮像に応じて出力される撮像音を制御することを目的とする。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
上記の目的を達成するために、本発明の情報処理装置は、投影データを投影する投影装置と、前記投影データが投影される面である投影面を撮像する撮像装置と通信可能に接続される情報処理装置であって、前記投影面上にあるオブジェクトの種類を特定するオブジェクト特定手段と、前記オブジェクト特定手段で特定されたオブジェクトの種類に応じて、前記撮像装置の撮像に応じて出力される撮像音を制御する撮像音制御手段とを備えることを特徴とする。
【手続補正４】
【補正対象書類名】明細書
【補正対象項目名】００１６
【補正方法】変更
【補正の内容】
【００１６】
上記の目的を達成するために、本発明の情報処理装置は、投影データを投影する投影装置と、前記投影データが投影される面である投影面を撮像する撮像装置と通信可能に接続される情報処理装置であって、ユーザの操作によって決定される撮像モードであって前記投影面を撮像するモードである撮像モードと、前記撮像装置の撮像音の出力の制御を示す情報である制御情報とを対応付けて記憶する記憶手段と、ユーザから操作を受け付ける操作受付手段と、前記操作受付手段で操作を受け付けた前記操作に対応する撮像モードを特定する特定手段と、前記特定手段で特定した前記撮像モードに対応付けられて前記記憶手段に記憶される制御情報に基づいて、前記撮像装置の撮像に応じて出力される撮像音を制御する撮像音制御手段とを備えることを特徴とする。
【手続補正５】
【補正対象書類名】明細書
【補正対象項目名】００１７
【補正方法】変更
【補正の内容】
【００１７】
本発明によれば、証跡を取る際に撮像装置の撮像に応じて出力される撮像音を制御することが可能となる効果を奏する。
【手続補正６】
【補正対象書類名】明細書
【補正対象項目名】００１８
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
投影データを投影する投影装置と、前記投影データが投影される面である投影面を撮像する撮像装置と通信可能に接続される情報処理装置であって、
前記投影面上にあるオブジェクトの種類を特定するオブジェクト特定手段と、
前記オブジェクト特定手段で特定されたオブジェクトの種類に応じて、前記撮像装置の撮像に応じて出力される撮像音を制御する撮像音制御手段と
を備えることを特徴とする情報処理装置。
【請求項２】
前記オブジェクトの種類と、撮像音を制御するための情報である制御情報とを対応付けて記憶する記憶手段を更に備え、
前記撮像音制御手段は、前記オブジェクト特定手段で特定されたオブジェクトの種類に応じて、対応する前記制御情報に基づいて前記撮像音を制御することを特徴とする請求項１に記載の情報処理装置。
【請求項３】
前記記憶手段は、証跡を残すオブジェクトの種類である第１の種類と、証跡を残さないオブジェクトの種類である第２の種類とを更に記憶しており、
前記撮像音制御手段は、前記オブジェクト特定手段が前記第１の種類のオブジェクトであると特定した場合に出力される撮像音より、前記第２の種類のオブジェクトであると特定した場合に出力される撮像音の音量を小さくするよう制御することを特徴とする請求項２に記載の情報処理装置。
【請求項４】
前記第２の種類のオブジェクトは、書類として取り込むオブジェクトであることを特徴とする請求項３に記載の情報処理装置。
【請求項５】
前記撮像音制御手段は、前記オブジェクト特定手段が前記第１の種類のオブジェクトであると特定した場合には、撮像音を出力しないことを特徴とする請求項３または４に記載の情報処理装置。
【請求項６】
前記撮像音制御手段は、前記オブジェクト特定手段が前記第２の種類のオブジェクトであると特定した場合には、撮像音を出力することを特徴とする請求項３乃至５のいずれか１項に記載の情報処理装置。
【請求項７】
投影データを投影する投影装置と、前記投影データが投影される面である投影面を撮像する撮像装置と通信可能に接続される情報処理装置の制御方法であって、
前記情報処理装置のオブジェクト特定手段が、前記投影面上にあるオブジェクトの種類を特定するオブジェクト特定ステップと、
前記情報処理装置の撮像音制御手段が、前記オブジェクト特定ステップで特定されたオブジェクトの種類に応じて、前記撮像装置の撮像に応じて出力される撮像音を制御する撮像音制御ステップと
を備えることを特徴とする情報処理装置の制御方法。
【請求項８】
投影データを投影する投影装置と、前記投影データが投影される面である投影面を撮像する撮像装置と通信可能に接続される情報処理装置で実行可能なプログラムであって、
前記情報処理装置を、
前記投影面上にあるオブジェクトの種類を特定するオブジェクト特定手段と、
前記オブジェクト特定手段で特定されたオブジェクトの種類に応じて、前記撮像装置の撮像に応じて出力される撮像音を制御する撮像音制御手段
として機能させることを特徴とするプログラム。
【請求項９】
投影データを投影する投影装置と、前記投影データが投影される面である投影面を撮像する撮像装置と通信可能に接続される情報処理装置を含む投影システムであって、
前記投影面上にあるオブジェクトの種類を特定するオブジェクト特定手段と、
前記オブジェクト特定手段で特定されたオブジェクトの種類に応じて、前記撮像装置の撮像に応じて出力される撮像音を制御する撮像音制御手段と
を備えることを特徴とする投影システム。
【請求項１０】
投影データを投影する投影装置と、前記投影データが投影される面である投影面を撮像する撮像装置と通信可能に接続される情報処理装置を含む投影システムの制御方法であって、
前記投影システムのオブジェクト特定手段が、前記投影面上にあるオブジェクトの種類を特定するオブジェクト特定ステップと、
前記投影システムの撮像音制御手段が、前記オブジェクト特定ステップで特定されたオブジェクトの種類に応じて、前記撮像装置の撮像に応じて出力される撮像音を制御する撮像音制御ステップと
を備えることを特徴とする投影システムの制御方法。
【請求項１１】
投影データを投影する投影装置と、前記投影データが投影される面である投影面を撮像する撮像装置と通信可能に接続される情報処理装置を含む投影システムで実行可能なプログラムであって、
前記投影システムを、
前記投影面上にあるオブジェクトの種類を特定するオブジェクト特定手段と、
前記オブジェクト特定手段で特定されたオブジェクトの種類に応じて、前記撮像装置の撮像に応じて出力される撮像音を制御する撮像音制御手段
として機能させることを特徴とするプログラム。
【請求項１２】
投影データを投影する投影装置と、前記投影データが投影される面である投影面を撮像する撮像装置と通信可能に接続される情報処理装置であって、
ユーザの操作によって決定される撮像モードであって前記投影面を撮像するモードである撮像モードと、前記撮像装置の撮像音の出力の制御を示す情報である制御情報とを対応付けて記憶する記憶手段と、
ユーザから操作を受け付ける操作受付手段と、
前記操作受付手段で操作を受け付けた前記操作に対応する撮像モードを特定する特定手段と、
前記特定手段で特定した前記撮像モードに対応付けられて前記記憶手段に記憶される制御情報に基づいて、前記撮像装置の撮像に応じて出力される撮像音を制御する撮像音制御手段と
を備えることを特徴とする情報処理装置。
【請求項１３】
前記撮像モードは、証跡を取るモードである第１のモードと、書類の取り込みを行うモードである第２のモードとがあり、
前記撮像音制御手段で、前記特定手段で前記第１のモードであると特定された場合に出力される撮像音は、前記特定手段で前記第２のモードであると特定された場合に出力される撮像音より音量が小さいことを特徴とする請求項１２に記載の情報処理装置。
【請求項１４】
前記撮像音制御手段で、前記特定手段で前記第１のモードであると特定された場合に撮像音を出力しないよう制御することを特徴とする請求項１３に記載の情報処理装置。
【請求項１５】
前記撮像音制御手段で、前記特定手段で前記第２のモードであると特定された場合に撮像音を出力するよう制御することを特徴とする請求項１３または１４に記載の情報処理装置。
【請求項１６】
投影データを投影する投影装置と、前記投影データが投影される面である投影面を撮像する撮像装置と通信可能に接続される情報処理装置であって、ユーザの操作によって決定される撮像モードであって前記投影面を撮像するモードである撮像モードと前記撮像装置の撮像音の出力の制御を示す情報である制御情報とを対応付けて記憶する記憶手段を備える情報処理装置の制御方法であって、
前記情報処理装置の操作受付手段が、ユーザから操作を受け付ける操作受付ステップと、
前記情報処理装置の特定手段が、前記操作受付ステップで操作を受け付けた前記操作に対応する撮像モードを特定する特定ステップと、
前記情報処理装置の撮像音制御手段が、前記特定ステップで特定した前記撮像モードに対応付けられて前記記憶手段に記憶される制御情報に基づいて、前記撮像装置の撮像に応じて出力される撮像音を制御する撮像音制御ステップと
を備えることを特徴とする情報処理装置の制御方法。
【請求項１７】
投影データを投影する投影装置と、前記投影データが投影される面である投影面を撮像する撮像装置と通信可能に接続される情報処理装置であって、ユーザの操作によって決定される撮像モードであって前記投影面を撮像するモードである撮像モードと前記撮像装置の撮像音の出力の制御を示す情報である制御情報とを対応付けて記憶する記憶手段を備える情報処理装置で実行可能なプログラムであって、
前記情報処理装置を、
ユーザから操作を受け付ける操作受付手段と、
前記操作受付手段で操作を受け付けた前記操作に対応する撮像モードを特定する特定手段と、
前記特定手段で特定した前記撮像モードに対応付けられて前記記憶手段に記憶される制御情報に基づいて、前記撮像装置の撮像に応じて出力される撮像音を制御する撮像音制御手段
として機能させることを特徴とするプログラム。
【請求項１８】
投影データを投影する投影装置と、前記投影データが投影される面である投影面を撮像する撮像装置と通信可能に接続される情報処理装置を含む投影システムであって、
ユーザの操作によって決定される撮像モードであって前記投影面を撮像するモードである撮像モードと、前記撮像装置の撮像音の出力の制御を示す情報である制御情報とを対応付けて記憶する記憶手段と、
ユーザから操作を受け付ける操作受付手段と、
前記操作受付手段で操作を受け付けた前記操作に対応する撮像モードを特定する特定手段と、
前記特定手段で特定した前記撮像モードに対応付けられて前記記憶手段に記憶される制御情報に基づいて、前記撮像装置の撮像に応じて出力される撮像音を制御する撮像音制御手段と
を備えることを特徴とする投影システム。
【請求項１９】
投影データを投影する投影装置と、前記投影データが投影される面である投影面を撮像する撮像装置と通信可能に接続される投影システムであって、ユーザの操作によって決定される撮像モードであって前記投影面を撮像するモードである撮像モードと前記撮像装置の撮像音の出力の制御を示す情報である制御情報とを対応付けて記憶する記憶手段と通信可能に接続される情報処理装置を含む投影システムの制御方法であって、
前記投影システムの操作受付手段が、ユーザから操作を受け付ける操作受付ステップと、
前記投影システムの特定手段が、前記操作受付ステップで操作を受け付けた前記操作に対応する撮像モードを特定する特定ステップと、
前記投影システムの撮像音制御手段が、前記特定ステップで特定した前記撮像モードに対応付けられて前記記憶手段に記憶される制御情報に基づいて、前記撮像装置の撮像に応じて出力される撮像音を制御する撮像音制御ステップと
を備えることを特徴とする投影システムの制御方法。
【請求項２０】
投影データを投影する投影装置と、前記投影データが投影される面である投影面を撮像する撮像装置と通信可能に接続される投影システムであって、ユーザの操作によって決定される撮像モードであって前記投影面を撮像するモードである撮像モードと前記撮像装置の撮像音の出力の制御を示す情報である制御情報とを対応付けて記憶する記憶手段と通信可能に接続される情報処理装置を含む投影システムで実行可能なプログラムであって、
前記投影システムを、
ユーザから操作を受け付ける操作受付手段と、
前記操作受付手段で操作を受け付けた前記操作に対応する撮像モードを特定する特定手段と、
前記特定手段で特定した前記撮像モードに対応付けられて前記記憶手段に記憶される制御情報に基づいて、前記撮像装置の撮像に応じて出力される撮像音を制御する撮像音制御手段
として機能させることを特徴とするプログラム。